(57)【要約】  装置は、携帯装置に接続される第１のコネクタと、電源に接続される第２のコネクタとを備える。装置は、第２のコネクタが電源コンセントに結合された電源アダプタに接続された場合には、第１のコネクタを介して第１の充電電流を携帯装置に供給し、且つ第２のコネクタがホスト装置のユニバーサルシリアルバスポートに接続された場合には、第１のコネクタを介して第２の充電電流を携帯装置に供給する回路網を更に備える。
2010522527.tif 000002
【特許請求の範囲】
【請求項１】
装置の充電に用いられるケーブルであって、
ホスト装置のユニバーサルシリアルバス（ＵＳＢ）ポート又は電源コンセントに結合された電源アダプタに接続され、複数のピンを備えており、かつ、第１のピンが、前記ホスト装置の前記ＵＳＢポート又は前記電源アダプタから電力を受け取る第１のコネクタと、
前記第１のコネクタに結合され、前記第１のコネクタの前記第１のピンに結合された少なくとも１つのトランジスタを備えており、且つ前記第１のコネクタの前記第１のピンと前記第１のコネクタのデータピンとの間に印加される電圧に基づいて、前記装置への充電を有効化する充電イネーブラと、
前記充電イネーブラに結合され、且つ前記充電イネーブラを介して前記装置に電力を供給するよう構成された第２のコネクタと
を備えることを特徴とするケーブル。
【請求項２】
前記充電イネーブラは、
前記第１のピンに結合された第１の抵抗器と、
前記第１の抵抗器及び前記第１のコネクタのデータピンに結合された第２の抵抗器と
を更に備えることを特徴とする請求項１に記載のケーブル。
【請求項３】
前記トランジスタは、前記第１の抵抗器及び前記第２の抵抗器に結合されており、前記充電イネーブラは、前記第１のコネクタが前記電源アダプタから電力を受け取る場合に、第１の充電電流を前記装置に供給するよう構成されていることを特徴とする請求項２に記載のケーブル。
【請求項４】
前記トランジスタと並列に接続され、且つ前記第１のコネクタが前記ホスト装置の前記ＵＳＢポートから電力を受け取る場合に、前記第１の充電電流よりも小さい第２の充電電流を前記装置に供給する電流制限器を更に備えることを特徴とする請求項３に記載のケーブル。
【請求項５】
前記第２の抵抗器は、前記トランジスタのゲートと前記第１のコネクタの前記データピンとの間に接続され、前記トランジスタは、前記トランジスタの前記ゲートに少なくとも第１の電圧が印加された場合に閉成するよう構成されていることを特徴とする請求項２に記載のケーブル。
【請求項６】
前記第１のコネクタが前記電源アダプタから電力を受け取ることで、前記第１の電圧が印加されることを特徴とする請求項５に記載のケーブル。
【請求項７】
前記第１のコネクタの接地ピンと前記第１のコネクタの第２のデータピンとの間に結合された第３の抵抗器を更に備えることを特徴とする請求項２に記載のケーブル。
【請求項８】
前記第１の抵抗器は約２，７００Ωの公称値を有しており、前記第２の抵抗器は約４，７００Ωの公称値を有していることを特徴とする請求項２に記載のケーブル。
【請求項９】
前記充電イネーブラは、
前記第１のピンに結合された第１の抵抗器と、
前記第１の抵抗器及び前記第１のコネクタの前記データピンに結合されたツェナーダイオードと
を更に備えることを特徴とする請求項１に記載のケーブル。
【請求項１０】
前記第１のコネクタは、前記ホスト装置の前記ＵＳＢポート又は前記電源アダプタと係合する雄ＵＳＢタイプＡコネクタを備えており、前記第２のコネクタは、前記装置のＵＳＢタイプＢコネクタと係合するように構成されていることを特徴とする請求項１に記載のケーブル。
【請求項１１】
携帯装置に接続される第１のコネクタと、
ホスト装置のユニバーサルシリアルバス（ＵＳＢ）ポート又は電源コンセントに結合された電源アダプタに接続される第２のコネクタであって、該第２のコネクタの第１のピンが、前記ホスト装置の前記ＵＳＢポート又は前記電源アダプタから電力を受け取る第２のコネクタと、
前記第２のコネクタの前記第１のピンに結合された回路網と、を備え、
前記回路網は、
前記第２のコネクタが前記電源アダプタに接続された場合には前記第１のコネクタを介して第１の充電電流を前記携帯装置に供給し、
前記第２のコネクタが前記ホスト装置の前記ＵＳＢポートに接続された場合には、前記第１のコネクタを介して前記第１の充電電流よりも小さい第２の充電電流を前記携帯装置に供給することを特徴とする装置。
【請求項１２】
前記回路網は、
前記第２のコネクタの前記第１のピンに結合された第１の抵抗器と、
前記第１の抵抗器及び前記第２のコネクタの第２のピンに結合された第２の抵抗器又はツェナーダイオードのうち少なくとも一方と
を備えることを特徴とする請求項１１に記載の装置。
【請求項１３】
前記第２の抵抗器又はツェナーダイオードのうち少なくとも一方は、第２の抵抗器を備えることを特徴とする請求項１２に記載の装置。
【請求項１４】
前記第１の抵抗器は約２，７００Ωの値を有しており、前記第２の抵抗器は約４，７００Ωの値を有していることを特徴とする請求項１３に記載の装置。
【請求項１５】
前記回路網は、
前記第１の抵抗器及び前記第２の抵抗器又は前記ツェナーダイオードのうちの少なくとも一方に結合されたスイッチを更に備え、前記スイッチは、前記スイッチに供給される電圧が閾値を超える場合に閉成するよう構成されていることを特徴とする請求項１２に記載の装置。
【請求項１６】
前記スイッチはトランジスタを備え、前記トランジスタは、前記トランジスタのゲートの電圧が前記閾値を超える場合に閉成するよう構成されており、電流は、前記第２のコネクタの前記第１のピンから閉成した前記トランジスタを介して前記携帯装置に供給されることを特徴とする請求項１５に記載の装置。
【請求項１７】
前記第２のコネクタの前記第１のピンは電圧入力ピンに対応しており、前記第２のコネクタの前記第２のピンは第１のデータピンに対応しており、前記装置は、前記第２のコネクタの接地ピンと前記第２のコネクタの第２のデータピンとの間に結合された第３の抵抗器を更に備えることを特徴とする請求項１２に記載の装置。
【請求項１８】
前記第２の抵抗器又はツェナーダイオードのうち少なくとも一方は、約３ボルトの定格を有するツェナーダイオードを備えることを特徴とする請求項１２に記載の装置。
【請求項１９】
前記第１のコネクタは、前記携帯装置のＵＳＢタイプＢコネクタと係合するように構成されており、前記第２のコネクタは、前記ホスト装置の前記ＵＳＢポート又は前記電源アダプタと係合する雄ＵＳＢタイプＡコネクタを備えることを特徴とする請求項１１に記載の装置。
【請求項２０】
前記回路網はプリント回路基板上に含まれていることを特徴とする請求項１１に記載の装置。
【請求項２１】
ユニバーサルシリアルバス（ＵＳＢ）ホスト装置を備える第１の電源と電源コンセントに結合された電源アダプタを備える第２の電源とを含む複数の電源のうちの１つの電源にシステムを接続する手段と、
前記接続する手段が前記ＵＳＢホスト装置に接続された場合に、前記ＵＳＢホスト装置からの第１の電流を供給する手段と、
前記システムが前記電源アダプタに接続された場合に、前記電源アダプタからの前記第１の電流よりも大きい第２の電流を供給する手段と
を備えることを特徴とするシステム。
【請求項２２】
前記接続する手段は、ＵＳＢトランシーバを含まないことを特徴とする請求項２１に記載のシステム。
【請求項２３】
ホスト装置のユニバーサルシリアルバス（ＵＳＢ）ポート又は電源コンセントに結合された電源アダプタに接続されるコネクタであって、該コネクタの第１のピンが、前記ホスト装置の前記ＵＳＢポート又は前記電源アダプタから電力を受け取るコネクタと、
前記コネクタの前記第１のピンに結合された回路網と、を備え、
前記回路網は、
前記コネクタが前記電源アダプタに接続された場合には、第１の充電電流を装置に供給し、
前記コネクタが前記ホスト装置の前記ＵＳＢポートに接続された場合には、前記第１の充電電流よりも小さい第２の充電電流を前記装置に供給するよう構成されていることを特徴とする装置。
【請求項２４】
前記装置は移動端末を含むことを特徴とする請求項２３に記載の装置。
【発明の詳細な説明】
【技術分野】
【０００１】
本発明は、一般に携帯装置に関し、特に携帯装置を充電することに関する。
【背景技術】
【０００２】
日々の生活の中で、移動端末などの通信装置は重要性を増している。例えば通信装置は、通常、発呼及び着呼、テキストメッセージの送受信、インターネットの閲覧などの目的で仕事場及び家庭で使用される。従って、そのような通信装置を充電しておき、利用可能な状態に保っておくことは、ユーザにとって非常に重要である。
【発明の概要】
【課題を解決するための手段】
【０００３】
第１の面によれば、装置の充電に用いられるケーブルが提供される。ケーブルは、ホスト装置のユニバーサルシリアルバス（ＵＳＢ）ポート又は電源コンセントに結合された電源アダプタに接続される第１のコネクタを備えており、該第１のコネクタは複数のピンを備えており、第１のピンは、ホスト装置のＵＳＢポート又は電源アダプタから電力を受け取るように構成されている。前記ケーブルは、前記第１のコネクタに結合された充電イネーブラを更に備え、該充電イネーブラは、前記第１のコネクタの第１のピンに結合された少なくとも１つのトランジスタを備える。前記充電イネーブラは、前記第１のコネクタの第１のピンと前記第１のコネクタのデータピンとの間に印加される電圧に基づいて装置への充電を有効化するよう構成されている。前記ケーブルは、前記充電イネーブラに結合され且つ前記充電イネーブラを介して装置に電力を供給するよう構成された第２のコネクタを更に備える。
【０００４】
前記充電イネーブラは、前記第１のピンに結合された第１の抵抗器と、該第１の抵抗器及び該第１のコネクタのデータピンに結合された第２の抵抗器とを更に備える。
【０００５】
更に、トランジスタが、前記第１の抵抗器及び第２の抵抗器に結合されており、前記充電イネーブラは、前記第１のコネクタが電源アダプタから電力を受け取る場合に第１の充電電流を装置に供給するよう構成されている。
【０００６】
前記ケーブルは、前記トランジスタと並列に接続され且つ前記第１のコネクタがホスト装置のＵＳＢポートから電力を受け取る場合には、第１の充電電流よりも小さい第２の充電電流を装置に供給する電流制限器を更に備える。
【０００７】
更に、前記第２の抵抗器は、前記トランジスタのゲートと前記第１のコネクタのデータピンとの間に接続されており、前記トランジスタは、前記トランジスタのゲートに少なくとも第１の電圧が印加された場合に閉成するように構成されている。
【０００８】
更に、前記第１のコネクタが電源アダプタから電力を受け取ることで、前記第１の電圧が印加される。
【０００９】
前記ケーブルは、前記第１のコネクタの接地ピンと前記第１のコネクタの第２のデータピンとの間に結合された第３の抵抗器を更に備える。
【００１０】
更に、第１の抵抗器は約２，７００Ωの公称値を有しており、第２の抵抗器は約４，７００Ωの公称値を有している。
【００１１】
前記充電イネーブラは、前記第１のピンに結合された第１の抵抗器と、該第１の抵抗器及び前記第１のコネクタのデータピンに結合されたツェナーダイオードと、を更に備える。
【００１２】
更に、前記第１のコネクタは、ホスト装置のＵＳＢポート又は電源アダプタと係合する雄ＵＳＢタイプＡコネクタを備えており、前記第２のコネクタは、装置のＵＳＢタイプＢコネクタと係合するように構成されている。
【００１３】
別の面によれば、装置が提供される。該装置は、携帯装置に接続される第１のコネクタと、ホスト装置のユニバーサルシリアルバス（ＵＳＢ）ポート又は電源コンセントに結合された電源アダプタに接続される第２のコネクタとを備え、前記第２のコネクタの第１のピンは、ホスト装置のＵＳＢポート又は電源アダプタから電力を受け取るよう構成されている。前記装置は、第２のコネクタの第１のピンに結合された回路網を更に備える。回路網は、前記第２のコネクタが電源アダプタに接続された場合には、前記第１のコネクタを介して第１の充電電流を携帯装置に供給し、前記第２のコネクタがホスト装置のＵＳＢポートに接続された場合には前記第１のコネクタを介して第１の充電電流よりも小さい第２の充電電流を携帯装置に供給する。
【００１４】
更に、前記回路網は、前記第２のコネクタの第１のピンに結合された第１の抵抗器と、該第１の抵抗器及び前記第２のコネクタの第２のピンに結合された第２の抵抗器又はツェナーダイオードのうち少なくとも一方とを備える。
【００１５】
更に、前記第２の抵抗器又はツェナーダイオードのうち少なくとも一方は、第２の抵抗器を備える。
【００１６】
更に、前記第１の抵抗器は約２，７００Ωの値を有しており、前記第２の抵抗器は約４，７００Ωの値を有している。
【００１７】
前記回路網は、前記第１の抵抗器及び前記第２の抵抗器又はツェナーダイオードのうち少なくとも一方に結合されたスイッチを更に備えており、該スイッチは、スイッチに供給される電圧が閾値を超えた場合に閉成するよう構成されている。
【００１８】
更に、前記スイッチはトランジスタを備えており、該トランジスタは、トランジスタのゲートの電圧が閾値を超えた場合に閉成するよう構成されており、電流は、前記第２のコネクタの第１のピンから閉成したトランジスタを介して携帯装置に供給される。
【００１９】
更に、前記第２のコネクタの第１のピンは電圧入力ピンに対応しており、前記第２のコネクタの第２のピンは第１のデータピンに対応している。前記装置は、前記第２のコネクタの接地ピンと前記第２のコネクタの第２のデータピンとの間に結合された第３の抵抗器を更に備えている。
【００２０】
更に、前記第２の抵抗器又はツェナーダイオードのうち少なくとも一方は、約３Ｖの定格を有するツェナーダイオードを備えている。
【００２１】
更に、前記第１のコネクタは携帯装置のＵＳＢタイプＢコネクタと係合するように構成されており、前記第２のコネクタはホスト装置のＵＳＢポート又は電源アダプタと係合する雄ＵＳＢタイプＡコネクタを備えている。
【００２２】
更に、前記回路網はプリント回路基板上に含まれていてもよい。
【００２３】
更に別の面によれば、システムが提供される。該システムは、ユニバーサルシリアルバス（ＵＳＢ）ホスト装置を備える第１の電源と電源コンセントに結合された電源アダプタを備える第２の電源とを含む複数の電源のうちの１つの電源に該システムを接続する手段を備える。該システムは、接続する手段がＵＳＢホスト装置に接続された場合に、該ＵＳＢホスト装置からの第１の電流を供給する手段を更に備える。該システムは、システムが電源アダプタに接続された場合に、電源アダプタからの第１の電流よりも大きい第２の電流を供給する手段を更に備える。
【００２４】
更に、接続する手段はＵＳＢトランシーバを含まない。
【００２５】
更に別の面によれば、装置が提供される。該装置は、ホスト装置のユニバーサルシリアルバス（ＵＳＢ）ポート又は電源コンセントに結合された電源アダプタに接続されるコネクタを備え、該コネクタの第１のピンは、ホスト装置のＵＳＢポート又は電源アダプタから電力を受け取るよう構成されている。前記装置は、該コネクタの第１のピンに結合された回路網を更に備える。前記回路網は、前記コネクタが電源アダプタに接続された場合には、第１の充電電流を装置に供給し、前記コネクタがホスト装置のＵＳＢポートに接続された場合には、第１の充電電流よりも小さい第２の充電電流を装置に供給するよう構成されている。
【００２６】
更に、装置は移動端末を含んでいてもよい。
【図面の簡単な説明】
【００２７】
添付の図面を参照して説明する。図中、同一の図中符号により示される要素は、一貫して同様の要素を表すものとする。
【図１】図１は、通信装置の一例を示す図である。
【図２】図２は、例示的な一実施例に係る図１の通信装置を充電するために使用される装置を示すブロック図である。
【図３Ａ】図３Ａは、図１の通信装置を充電するために図２の装置が使用された場合の例示的な構成を示すブロック図である。
【図３Ｂ】図３Ｂは、図１の通信装置を充電するために図２の装置が使用された場合の例示的な構成を示すブロック図である。
【図４】図１の通信装置の充電に関する処理の例を示す図である。
【図５】図１の通信装置の充電に関する処理の例を示す図である。
【図６】別の例示的な実施例に係る図１の通信装置を充電するために使用される装置を示すブロック図である。
【発明を実施するための形態】
【００２８】
以下、添付の図面を参照しながら本発明の詳細な説明を行う。各図において、同一の図中符号は同一の要素又は類似する要素を示すものとする。また、以下の詳細な説明は本発明を限定するものではない。本発明の範囲は、添付の請求の範囲及びその均等物により定義されるものとする。
【００２９】
システム例
図１は、本明細書に記載されたシステム及び方法と共に使用される通信装置１００の一例を示す図である。例示的な一実施例において、通信装置１００は移動端末であってもよい。本明細書において使用される場合の用語「移動端末」には、マルチラインディスプレイを有する携帯無線電話又はマルチラインディスプレイのない携帯無線電話；携帯無線電話をデータ処理機能、ファクシミリ機能及びデータ通信機能と組み合わせたパーソナル移動通信システム（ＰＣＳ）端末；無線電話、ページャ、インターネット／イントラネットアクセス、ウェブブラウザ、オーガナイザ、カレンダー及び／又は全地球測位システム（ＧＰＳ）受信機が含まれうるパーソナルデジタルアシスタント（ＰＤＡ）；並びに無線電話トランシーバを含む従来のラップトップ受信機及び／又はパームトップ受信機又は他の機器が含まれるものとする。移動端末は「パーベイシブコンピューティング」装置と呼ばれてもよい。
【００３０】
図１に示すように、通信装置１００は筐体１１０、スピーカ１２０、ディスプレイ１３０、制御ボタン１４０、キーパッド１５０、マイクロホン１６０及びコネクタ１７０を備える。筐体１１０は、通信装置１００の構成要素を外側の要素から保護する。スピーカ１２０は、通信装置１００のユーザに可聴情報を提供する。
【００３１】
ディスプレイ１３０は、ユーザに視覚情報を提供する。例えば、ディスプレイ１３０は、電話の着呼又は発呼及び／又は電子メール（Ｅメール）、インスタントメッセージ、ショートメッセージサービス（ＳＭＳ）メッセージなどの受信又は送信に関する情報を提供する。発呼や種々のメディアの再生などの１つ以上の動作を通信装置１００に実行させるために、ユーザは、制御ボタン１４０を使用して通信装置１００を操作する。例えば、制御ボタン２４０にはダイヤルボタン、終話ボタン、再生ボタンなどが含まれる。キーパッド１５０には標準的な電話キーパッドが含まれる。マイクロホン１６０は、ユーザからの可聴情報を受信する。
【００３２】
コネクタ１７０は、通信装置１００を充電するために使用されるコネクタ又はインタフェースである。例示的な一実施例において、コネクタ１７０は通信装置１００外からアクセス可能である。一実施例において、コネクタ１７０は従来のユニバーサルシリアルバス（ＵＳＢ）タイプＢコネクタであってもよい。他の実施例において、コネクタ１７０は、特定の通信装置１００に適合する専用コネクタであってもよい。コネクタ１７０は通信装置１００の正面側に示されている。他の実施例において、コネクタ１７０は通信装置１００の底部、通信装置１００の背面、通信装置１００のいずれかの側面又は通信装置１００の他の任意の部分に配置されていてもよい。
【００３３】
実施例によっては、通信装置１００は、ＵＳＢトランシーバを含まない装置であってもよい。その場合、以下に詳細に説明されるように、ＵＳＢトランシーバを使用することなく通信装置１００を充電するために、ケーブル及び／又は回路網が使用されてもよい。この場合のケーブルは、ＵＳＢトランシーバポートではなく、通信装置１００の充電ポートに接続されることとなる。
【００３４】
本明細書において、本発明の面は、通信装置１００のような携帯装置の充電及び／又は給電について説明する。また、本明細書において説明するシステム及び方法は、他の装置と通信するための種々の通信機能を含まないパーソナルコンピュータ（ＰＣ）、ラップトップコンピュータ、ＰＤＡ、メディア再生装置（例えばＭＰＥＧオーディオレイヤ３（ＭＰ３）プレーヤ、ビデオゲーム再生装置）などの充電を必要とする他の装置において実施されてもよいことは理解されよう。
【００３５】
図２は、例示的な一実施例に係る通信装置１００に給電し且つ／又は通信装置１００を充電するための電源に結合された通信装置１００を示すブロック図である。図２に示すように、通信装置１００のコネクタ１７０は、回路網及びケーブル２１０に結合される。回路網及びケーブル２１０は、本明細書においてケーブル２１０とも呼ばれる。ケーブル２１０は電源２２０に更に結合される。
【００３６】
例示的な一実施例において、ケーブル２１０には、ケーブル２１０が電源オン状態のＵＳＢホスト装置に接続されているのか、あるいは壁コンセントなどの他の電源に例えば電源アダプタ装置を介して接続されているのかを検出する回路網が配されている。すなわち、ケーブル２１０には、電源２２０が電源オン状態のＵＳＢホスト装置であるのか、あるいはケーブル２１０に結合される壁コンセント電源アダプタなどの別の電源であるのかを検出する回路網が配されている。特定の電源２２０の種類に基づいて、ケーブル２１０では第１の充電電流（例えば１００ｍＡ以下）又は第２の充電電流（例えば１．８Ａ以上）を通信装置１００に供給する。いずれの場合にも、以下に詳細に説明するように、通信装置１００では、充電及び／又は動作のための適切な電力を受け取ることとなる。更に、通信装置１００がＵＳＢトランシーバを含まない実施例の場合、ケーブル２１０の一端部は通信装置１００の充電ポートに接続され、ケーブル２１０の他端部は、ＵＳＢホスト装置のＵＳＢポート又は電源コンセントに差し込まれたアダプタ装置に接続される。そのような場合、ケーブル２１０は、ＵＳＢホスト装置からの充電の際に許容されうる値を超える電流が、通信装置１００に対してＵＳＢホスト装置から供給されることがないようにするか、又は電源アダプタ装置からそれより大きな充電電流が供給されることがないようにする。
【００３７】
先に説明したように、電源２２０は、通信装置１００に給電可能な電源、又は通信装置１００を充電可能な電源を表している。例示的な一実施例において、電源２２０は、通信装置１００などの周辺装置に給電するためのハブとして動作するラップトップコンピュータ、ＰＣ又は他の何らかの装置のようなホスト装置であってもよい。すなわち、電源２２０は、通信装置１００を充電可能なホスト装置であってもよい。
【００３８】
別の実施例において、電源２２０は、例えば壁コンセントに接続されるプラグ又はソケットを介して供給される従来の建物用電力と関連していてもよい。この場合、交流（ＡＣ）−直流（ＤＣ）変換アダプタなどの電源アダプタが壁コンセントに差し込まれ、ＡＣ電力はＤＣ電力に変換される。ＡＣ−ＤＣ変換（ＡＣ／ＤＣ）アダプタは、通信装置１００への充電を可能にするためにケーブル２１０の一端部を受け入れるコネクタを更に備える。本実施例においては、説明の便宜上、ＡＣ／ＤＣアダプタは電源２２０の一部であると考えるものとする。いずれの場合にも、以下に詳細に説明するように、ケーブル２１０は、通信装置１００に適切な充電電流が確実に供給されるよう機能する。
【００３９】
図３Ａは、第１の実施例にかかるコネクタ１７０及びホスト装置３１０（本明細書においてはハブ３１０とも呼ばれる）に結合されたケーブル２１０を示す例示的な詳細図である。ホスト装置３１０は、通信装置１００を充電し且つ／又は通信装置１００に給電するための電源（すなわち電源２２０）として動作する電源オン状態の装置である。ハブ３１０は、通信装置１００が受け取る電力を供給し且つ／又は通信装置１００を充電するラップトップコンピュータ、ＵＳＢハブ又は別の装置であってもよい。場合によっては、通信装置１００は、以下に詳細に説明するように、適正な充電電流を通信装置１００に確実に供給する回路網を含むＵＳＢ型ケーブルを介してハブ３１０に接続されていてもよい。
【００４０】
図３Ａに示すように、点線で示されるボックスの中の素子は、ケーブル２１０に含まれる構成要素に対応している。他の実施例において、それらの構成要素のうち１つ以上は、ケーブル２１０に対して外側に配置されていてもよい。ケーブル２１０はコネクタ３２０及び回路網３３０を備える。コネクタ３２０は、例えば４本のピンを有する雄ＵＳＢタイプＡコネクタを備える。あるいは、コネクタ３２０は、特定のハブ３１０及び／又は特定の通信装置１００に適合する専用ケーブルを備えていてもよい。図３Ａにおいて、Ｖｂｕｓピン３２２は、ハブ３１０から入力電圧を受け取るピンに対応し、接地（ＧＮＤ）ピン３２４は接地ピンに対応し、Ｄ＋ピン３２６は、移動局へのデータ送信（ＤＴＭＳ）ピン（例えばデータ出力）に対応し、Ｄ−ピン３２８は、移動局からのデータ受信（ＤＦＭＳ）ピン（例えばデータ入力）に対応している。
【００４１】
図３Ａの抵抗器Ｒ１は、コネクタ３２０の接地ピン３２４とＤ＋ピン３２６との間に接続されている。例示的な一実施例において、抵抗器Ｒ１は５０Ωの公称値を有している。抵抗器Ｒ１は、例えば短絡した場合の出力から通信装置１００を保護するために使用される。
【００４２】
回路網３３０は、特定の状況に基づいて通信装置１００に適正な充電電流を供給するための充電イネーブラとして動作する。例示的な一実施例において、回路網３３０は電流制限器３３２と、電流制限器３３２と並列に接続されたトランジスタ（例えば電界効果トランジスタ（ＦＥＴ））３３４とを備える。電流制限器３３２は、ハブ３１０により供給され且つ電流制限器３２２を通って流れる電流を約１００ミリアンペア（ｍＡ）に制限する。場合によっては、電流制限器３３２を通って流れる電流は、特定の状況及び特定のホスト装置３１０に基づいて２．５ｍＡ、５００マイクロアンペア（μＡ）など、他の値に制限されてもよい。例示的な一実施例において、電流制限器３３２は、電流を所望の量に制限するために選択した１つ以上の抵抗器を含んでいてもよい。あるいは、電流制限器３３２は、電流を所望の量に制限するために使用される他の従来の素子を含んでいてもよい。更に別の実施例において、電流制限器３３２は回路網３３０に含まれていなくてもよい。
【００４３】
トランジスタ３３４は、以下に詳細に説明するように、ハブ３１０からの電力を電流制限器３３２をバイパスして供給するために使用される。すなわち、以下に詳細に説明するように、トランジスタ３３４は、電流が電流制限器３３２をバイパスして電源２２０からの電力を供給するために閉成されるスイッチとして動作してもよい。図３Ａでは、トランジスタ３３４は、ＦＥＴとして示されている。トランジスタ３３４として、バイポーラ接合トランジスタ（例えばＰＮＰ型トランジスタ、ＮＰＮ型トランジスタ、ダーリントントランジスタなど）、あるいは他の種類のトランジスタ又はスイッチング素子が使用されてもよいことは理解されよう。
【００４４】
回路網３３０は、図３ＡにおいてＲ２及びＲ３として示される２つの抵抗器を更に備える。抵抗器Ｒ２及びＲ３は、コネクタ３２０のＶｂｕｓピン３２２とコネクタ３２０のＤ−ピン３２８との間に接続されている。例示的な一実施例において、抵抗器Ｒ２は２，７００Ωの公称値を有しており、抵抗器Ｒ３は４，７００Ωの公称値を有している。抵抗器Ｒ２及びＲ３のそれらの値は、公称値から約＋５％又は−５％の範囲にあってもよい。他の実施例において、抵抗器Ｒ２及びＲ３がトランジスタ３３４への所望の電圧の供給を助けるために、特定の状況に基づいて、抵抗器Ｒ２及びＲ３は他の公称値を有していてもよいことは理解されよう。更に、別の実施例において、例えば３Ｖの定格を有するツェナーダイオードが抵抗器Ｒ３の代わりに使用されてもよい。
【００４５】
ホスト３１０は抵抗器Ｒ４及びＲ５を備える。例示的な一実施例において、抵抗器Ｒ４及びＲ５の公称値は、１４，０００Ω〜２４，０００Ωの範囲にある。抵抗器Ｒ４はＤ＋ピン３２６に接続され、抵抗器Ｒ５はＤ−ピン３２８に接続されている。図３Ａに示されるように、抵抗器Ｒ４及びＲ５は、接地点にも接続されている。抵抗器Ｒ４及びＲ５は、Ｄ＋ピン３２６及びＤ−ピン３２８の電圧を制限するためのプルダウン抵抗器として動作する。
【００４６】
ケーブル２１０は、コネクタ１７０を介してケーブル２１０を通信装置１００に接続するコネクタ（図示せず）を更に含んでいてもよい。先に説明したように、コネクタ１７０はＵＳＢタイプＢコネクタであってもよい。その場合、コネクタ１７０は接地（ＧＮＤ）ピン１７２、Ｄ＋ピン１７４、Ｄ−ピン１７６及び直流入出力（ＤＣＩＯ）ピン１７８を備える。ケーブル２１０は、通信装置１００のＵＳＢタイプＢコネクタ１７０と係合する対応するコネクタ（例えばＵＳＢコネクタ）を備えていてもよい。場合によっては、ケーブル２１０は、通信装置１００のコネクタ１７０と係合する専用ケーブルを備えていてもよい。
【００４７】
ケーブル２１０は、以下に詳細に説明するように通信装置１００に電力を供給するよう動作する。図３Ａに示される実施例において、図２の電源２２０はホスト装置３１０に対応している（例えば、ホスト装置３１０は、通信装置１００に電力を供給するバッテリを有する充電済み装置である）。あるいは電源２２０は、ＵＳＢポートを含むホスト装置３１０に電力を供給する。いずれの場合にも、通信装置１００を充電し且つ／又は動作させるために、電力はホスト装置３１０から供給される。他の実施例において、ケーブル２１０は、他の電源から通信装置１００に給電するために使用される。
【００４８】
例えば、図３Ｂは、電源２２０が非ＵＳＢハブ装置であるような例示的な一実施例を示している。本実施例において、電源２２０は、例えば従来の壁コンセントからの電力を表している。場合によっては、電源２２０は、図３Ｂに示されるアダプタ３４０のようなアダプタを介してケーブル２１０に結合される。この場合、アダプタ３４０は、雄ＵＳＢタイプＡコネクタ（例えばコネクタ３２０）を受け入れ且つ電源コンセント（例えば壁コンセント）に差し込まれるように構成された装置となる。アダプタ３４０は、従来の電源コンセントを介して供給される交流（ＡＣ）を、通信装置１００を充電するのに使用される直流（ＤＣ）に変換する。すなわち、アダプタ３４０はＡＣ／ＤＣアダプタであってもよい。そのような素子は従来と同様であり、ここでは詳細な説明を省略する。図３Ｂのその他の素子は、先に図３Ａに関して説明した素子と同一又は同様である。しかし、図３Ｂの実施例においては、電源オン状態のハブ３１０と一体化された抵抗器Ｒ４及びＲ５のようなプルダウン抵抗器は存在しない。本実施例において、コネクタ３２０がアダプタ３４０に接続された場合、コネクタ３２０のＤ＋ピン３２６及びＤ−ピン３２８は有効にジャンパ又は短絡されうる。例えば、コネクタ３２０のＤ＋ピン３２６及びＤ−ピン３２８に対応するアダプタ３４０のピンを互いに短絡することにより、コネクタ３２０のＤ＋ピン３２６及びＤ−ピン３２８は有効に短絡される。
【００４９】
図３Ｂに示される実施例は、通信装置１００を充電するためにＵＳＢホスト装置を利用できない場合において通信装置１００を充電する場合に特に有用である。更に、本実施例において、ケーブル２１０は、ＵＳＢトランシーバを含まない通信装置１００と関連して使用されてもよい。いずれの場合にも、ケーブル２１０は、専用コネクタを使用することなく電源２２０からの電力を供給する。すなわち、ケーブル２１０をアダプタ３４０／電源２２０及び通信装置１００に接続するために従来のコネクタを使用してもよい。
【００５０】
図４は、図３Ａに示される構成における通信装置１００の充電に関する処理の一例を示すフローチャートである。処理は、ユーザがハブ３１０から通信装置１００を充電すること又は通信装置１００に給電することを望んだ場合に開始される。先に説明したように、ハブ３１０は、ＵＳＢポートを含むラップトップコンピュータ、パーソナルコンピュータ又は別の装置であってもよい。ユーザは、ケーブル２１０の一端部をハブ３１０のＵＳＢポートに接続し、ケーブル２１０の他端部を通信装置１００のコネクタ１７０に接続する（動作４１０）。先に説明したように、ハブ３１０は、コネクタ３２０のＤ＋ピン３２６及びＤ−ピン３２８にそれぞれ結合されたプルダウン抵抗器Ｒ４及びＲ５を含むものとする。更に、Ｄ＋ピン３２６及びＤ−ピン３２８において許容される最大電圧は約３．６Ｖであるものとする。この場合、Ｄ＋ピン３２６及び／又はＤ−ピン３２８をコネクタ３２０のＶｂｕｓピン３２２に直接接続すると、それらのピンの電圧が最大定格を超える結果となるであろう。
【００５１】
先に説明したように、回路網３３０は、コネクタ３２０のＤ−ピン３２８に直列に接続されたプルアップ抵抗器Ｒ２及びＲ３を備える。従って、ハブ３１０からＶｂｕｓピン３２２に電圧が供給された場合、トランジスタ３３４のゲートの電圧は、トランジスタ３３４に電流を流すのには不十分である。このため、ホスト装置３１０の電源がオンされると、ホスト装置３１０からの電流は電流制限器３３２を通って流れ、コネクタ１７０のＤＣＩＯピン１７８に供給されることとなる（動作４２０）。ＤＣＩＯピン１７８は、通信装置１００を充電するための電力を受け取るように構成されているものとする。次に、通信装置１００はホスト装置３１０により給電及び／又は充電される（動作４３０）。本構成において、充電電流は特定の電流制限器３３２に制限される。例えば、先に説明したように、一実施例において、電流制限器３３２は充電電流を１００ｍＡに制限する。この相対的に低い充電電流は、通信装置１００の充電に関する時間の長さが重大な問題ではない種々の構成において適している。他の実施例において、電流制限器３３２は、特定のホスト装置３１０及び特定の状況に基づいて、電流を２．５ｍＡ、５００μＡなどの他の値に制限するようにしてもよい。
【００５２】
更に、先に説明したように、実施例によっては、電流制限器３３２は回路網３３０に含まれていなくてもよい。その場合、通信装置１００に供給される電流は、ホスト装置３１０により供給される特定の電流に基づいて制限される。更に、通信装置１００がトランシーバポートを含まない状況において、ケーブル２１０は、充電電流を適正な量（例えば１００ｍＡ）に制限するよう動作する。すなわち、ケーブル２１０は、ＵＳＢハブ装置に接続した場合に、許容される値よりも大きい電流が通信装置１００に対してホスト３１０から供給されることがないように確実機能する。
【００５３】
図５は、図３Ｂに示される構成における通信装置１００の充電に関する処理の例を示すフローチャートである。処理は、壁コンセントを介する場合のように、非ＵＳＢハブ装置から通信装置を充電することをユーザが望んだ場合に開始される。この場合、充電を助けるために、電源コンセントに差し込まれるＡＣ／ＤＣ変換器を含むアダプタ３４０が使用される。例えば、先に説明したように、アダプタ３４０は壁コンセントに差し込まれていてもよく、例えば雄ＵＳＢタイプＡコネクタを受け入れるコネクタを更に含んでいてもよい。本構成において、ケーブル２１０の一端部（例えばコネクタ３２０）には雄ＵＳＢタイプＡコネクタが配されているものとする。従って、ユーザはＵＳＢタイプＡコネクタをアダプタ３４０に差し込み、その後、アダプタ３４０を従来のコンセント（例えば壁コンセント）に差し込む（動作５１０）。ユーザは、ケーブル２１０の他端部を通信装置１００のコネクタ１７０に更に接続する（動作５１０）。先に説明したように、コネクタ１７０は、ＵＳＢトランシーバポート又は通信装置１００の充電ポートであってもよい。
【００５４】
図３Ｂに示すように、アダプタ３４０及び／又は電源２２０は、プルダウン抵抗器を含まない。すなわち、電源２２０は従来の壁コンセントであり、ＵＳＢハブ装置ではないため、本構成にはプルダウン抵抗器が含まれない。例示的な一実施例において、アダプタ３４０に含まれる雌ＵＳＢコネクタのＤ＋ピン及びＤ−ピンは互いに短絡されている。このため、コネクタ３２０がアダプタ３４０に接続された場合にコネクタ３２０のＤ＋ピン３２６及びＤ−ピン３２８は有効に短絡されることとなる。例示的な一実施例において、ケーブル２１０がアダプタ３４０を介して電源２２０に接続された場合、電圧はコネクタ３２０のＶｂｕｓピン３２２に供給される。
【００５５】
例示的な一実施例において、電源２２０からアダプタ３４０を介してＶｂｕｓピン３２２に電圧が供給された場合、トランジスタ３３４のゲートの電圧は約１．７５Ｖである。この電圧がＶｂｕｓピン３２２を介してトランジスタ３３４のソースに印加された電圧に加わると、トランジスタ３３４に電流が流れ、それにより、確実に電流制限器３３２をバイパスさせることとなる（動作５２０）。すなわち、トランジスタ３３４は、閉成したスイッチとして有効に動作する。この結果、コネクタ３２０のＶｂｕｓピン３２２に電力が供給されると、電流制限器３３２による電流の制限を伴うことなく、閉成したスイッチ（例えばトランジスタ３３４）を介してコネクタ１７０のＤＣＩＯピン１７８に電流が流れることとなる。
【００５６】
先に説明したように、抵抗器Ｒ２は約２，７００Ωの公称値を有しており、抵抗器Ｒ３は約４，７００Ωの公称値を有している。本構成では、それらの公称値を有する抵抗器を配置することにより、電源２２０が電源コンセントである場合にあっては、通信装置１００に所望の充電電圧を供給し、また電源がホスト装置（すなわち図３Ａのホスト装置３１０）である場合にあっては、通信装置１００に供給される電流を制限するようにトランジスタ３３４が制御されるため、ケーブル２１０は所望の電圧をトランジスタ３３４に供給することができる。すなわち、抵抗器Ｒ２及びＲ３は、トランジスタ３３４を開成スイッチ又は閉成スイッチとして有効に動作させるためにトランジスタ３３４のゲート及び／又はソースに適切な電圧を供給するよう動作する。これにより、通信装置１００を充電するために使用される特定の電源２２０に基づいて、適切な充電電流を通信装置１００に供給することができる。
【００５７】
例示的な一実施例において、ケーブル２１０がアダプタ３４０を介して電源２２０に接続される場合、通信装置１００のＤＣＩＯピン１７８は、約２．５Ａの充電電流を受け取る。通信装置１００がＵＳＢトランシーバを含まない状況において、充電電流（例えば本構成においては２．５Ａ）は、ＵＳＢトランシーバポートではなく、通信装置１００の充電ポートに供給される。すなわち、通信装置１００のＤＣＩＯポート１７８は、ＵＳＢトランシーバ又はＵＳＢトランシーバの一部ではない充電ポートと関連付けられる。
【００５８】
いずれの場合にも、通信装置１００は、その後、電流制限器３３２をバイパスした電源２２０からの電流により給電及び／又は充電される（動作５３０）。これにより、従来の構成と比較してはるかに迅速に通信装置１００を充電することができる。
【００５９】
上述のように、ケーブル２１０は、ホスト装置３１０のようなＵＳＢハブへの接続と、電源コンセント／壁コンセントなどの電源への接続とを有効に識別する回路網を備える。ＵＳＢハブの場合、ケーブル２１０内の回路網は、ＵＳＢホスト装置により許容された適正な充電電流（例えば１００ｍＡ）を供給する。アダプタ３４０を介して通信装置１００に接続された電源コンセント／壁コンセントの場合、ケーブル２１０内の回路網は、通信装置１００を更に速く充電するためにより大きな充電電流（例えば２．５Ａ以上）を供給する。上記の各構成における特定の充電電流は、例えば各国の特定の国内／電力規格に従って規定されていてもよい。各構成において、適切な充電電流は通信装置１００に供給される。
【００６０】
先に説明した実施例では、ケーブル２１０は、従来の通信装置１００に適切な充電電流を供給する回路網（例えば回路網３３０）を含む独立型の構成要素として説明した。他の実施例において、ケーブル２１０の全体又は一部は他の装置内に配置されていてもよい。例えば、例示的な一実施例において、充電イネーブル回路網の一部として示される素子（例えば電流制限器３３２、トランジスタ３３４、抵抗器Ｒ１、Ｒ２及びＲ３）の全て又は一部は、通信装置１００に含まれていてもよい。その場合、通信装置１００を電源２２０に接続するために、電源２２０に接続する雄ＵＳＢタイプＡコネクタ及び通信装置１００に接続するコネクタ（例えばＵＳＢタイプＢコネクタ）を有する従来のＵＳＢ型ケーブルが使用されてもよい。言い換えれば、ホスト装置３１０を介する又はアダプタ３４０を介する通信装置１００の充電を有効にするために使用される回路網の全て（又は一部）は、充電される装置（例えば通信装置１００）に含まれていてもよい。
【００６１】
更に別の実施例において、ケーブル２１０の中に示される素子の全て又は一部は、プリント回路基板（ＰＣＢ）上に含まれていてもよい。例えば、図６は、先に説明した回路網の全体又は一部がＰＣＢ上に含まれる一実施例を示している。図６に示すように、通信装置１００のコネクタ１７０はＰＣＢ６１０に接続され、ＰＣＢ６１０は電源２２０に接続される。本実施例において、回路網３３０の一部として示される素子（例えば電流制限器３３２、トランジスタ３３４、抵抗器Ｒ１、Ｒ２及びＲ３）の全て又は一部は、ケーブル２１０ではなく、ＰＣＢ６１０に含まれていてもよい。本実施例において、ケーブル接続（すなわちケーブル２１０）と関連する不要な抵抗は、ＰＣＢ６１０の使用によって低減及び／又は排除される。すなわち、相対的に短いケーブルでコネクタ１７０をＰＣＢ６１０に接続することができる。ＰＣＢ６１０は、例えば雄ＵＳＢタイプＡコネクタを使用して電源２２０に接続されていてもよい。その場合、通信装置１００を電源２２０に接続するためにＰＣＢ６１０を使用することで、ケーブル２１０の物理的長さと関連する不要な抵抗を低減させることができる。
【００６２】
結論
本明細書において説明した実施例によれば、電源オン状態のハブ装置及び従来の電源コンセントを使用して装置を効率よく充電することができる。これにより、特定の構成においては従来より速く充電できるようになり、他の構成においてはハブ装置を介して装置を充電することができるようになる。
【００６３】
更に、本明細書において説明した実施例によれば、供給する電流が過多になる危険又はＵＳＢホスト装置が過負荷になる危険がほとんど又は全くなく、ＵＳＢポートを介して装置を充電することができるようになる。また、ＵＳＢハブ装置を介して装置を充電できると共に、装置にＵＳＢトランシーバを内蔵する必要がなくなり、電源コンセントに接続された従来の電源アダプタを介して装置を充電できるようになるという利点がある。その結果、ＵＳＢトランシーバ、ＵＳＢプロセッサ及び／又はＵＳＢトランシーバと関連する種々のメモリ資源の使用と関連する費用を相当に節約することができる。
【００６４】
以上の本発明の実施例の説明は例示及び説明のためのものであり、本発明を完全に説明すること又は本発明を開示される厳密な形態に限定することを意図したものではない。上記の教示に照らして変更及び変形は可能であり、あるいは本発明の実施に基づいて変更及び変形をしてもよい。
【００６５】
例えば、本明細書において説明される面は、通信装置１００などの携帯装置を電源に結合するＵＳＢ型接続の使用に重点を置いている。他の場合には（先に説明したように）、ＵＳＢトランシーバを含まない通信装置及び／又は電源に接続するために、ＵＳＢ型コネクタではないコネクタが使用されてもよい。更に、それらのコネクタは従来のコネクタであってもよい。
【００６６】
更に、先に説明した例示的な実施例は、特定の値及び／又は定格を有する電流制限器、抵抗器、トランジスタ、ツェナーダイオードなどの特定の回路網について言及した。他の実施例においては、それらの素子は他の値及び／又は定格を有していてもよく、且つ／あるいは他の実施例において類似する機能を実現するために他の素子が使用されてもよいことは理解されよう。
【００６７】
更に、図４及び図５に関して一連の動作を説明したが、本発明と一致する他の実施例において、それらの動作の順序は変更されてもよい。また、互いに依存関係にない動作が並行して実行されてもよい。
【００６８】
例えばコンピュータ装置、セルラ通信装置／システム、方法及び／又はコンピュータプログラム製品において先に説明した本発明の面が実現されてもよいことは当業者には明らかであろう。従って、本発明は、ハードウェア及び／又はソフトウェア（ファームウェア、常駐ソフトウェア、マイクロコードなどを含む）により実現されてもよい。更に、本発明の面は、命令実行システムにより又は命令実行システムと関連して使用するためにコンピュータ使用可能プログラムコード又はコンピュータ可読プログラムコードが実現されているコンピュータ使用可能記憶媒体又はコンピュータ可読記憶媒体においてコンピュータプログラム製品の形態をとってもよい。本発明の原理と一致する面を実現するために使用される実際のソフトウェアコード又は特殊化制御ハードウェアは、本発明を限定するものではない。従って、本発明の面の動作及び挙動については、特定のソフトウェアコードを参照することなく説明を行った。本明細書の説明に基づいてそれらの面を実現するために、当業者がハードウェアを設計し且つハードウェアを制御することは可能であるものと解される。
【００６９】
更に、本発明の特定の部分は、１つ以上の機能を実行する「論理」として実現されてもよい。この論理には、プロセッサ、マイクロプロセッサ、特定アプリケーション向け集積回路又はフィールドプログラマブルゲートアレイなどのハードウェア、ソフトウェアあるいはハードウェアとソフトウェアとの組み合わせが含まれる。
【００７０】
本明細書において使用される場合の用語「備える」は、そこに挙げられている特徴、数字、ステップ又は構成要素の存在を特定するものとして解釈されるが、１つ以上の他の特徴、数字、ステップ、構成要素又はそれらの集合の存在又は追加を除外するものではないことは留意されるべきである。
【００７１】
本明細書の説明において使用される素子、動作又は命令は、明示して指示のない限り、本発明に決定的に重要である又は不可欠であると解釈されるべきではない。また、本明細書において使用されるように、単数形は、１つ以上の項目を含むことを意図している。なお、１つの項目であることを意図した場合には、用語「１つの（ｏｎｅ）」又はそれに類似する言葉を使用している。更に、本明細書において使用される場合の語句「〜に基づいて」は、明示して指示のない限り、「少なくとも部分的に〜に基づいて」を意味することを意図したものである。
【００７２】
本発明の範囲は、請求の範囲及びその均等物により定義される。
【図１】
2010522527.tif 000003
【図２】
2010522527.tif 000004
【図３Ａ】
2010522527.tif 000005
【図３Ｂ】
2010522527.tif 000006
【図４】
2010522527.tif 000007
【図５】
2010522527.tif 000008
【図６】
2010522527.tif 000009
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
装置の充電に用いられるケーブルであって、
ホスト装置のユニバーサルシリアルバス（ＵＳＢ）ポート又は電源コンセントに結合された電源アダプタに接続され、複数のピンを備えており、かつ、第１のピンが、前記ホスト装置の前記ＵＳＢポート又は前記電源アダプタを含む複数の電源のうちのいずれか１つから電力を受け取る第１のコネクタと、
前記第１のコネクタに結合され、前記第１のコネクタの前記第１のピンに結合された少なくとも１つのトランジスタを備えており、且つ前記第１のコネクタの前記第１のピンと前記第１のコネクタのデータピンとの間に印加される電圧に基づいて、前記装置への充電を有効化する充電イネーブラと、
前記充電イネーブラに結合され、且つ前記充電イネーブラを介して前記装置に電力を供給するよう構成された第２のコネクタと
を備えることを特徴とするケーブル。
【請求項２】
前記充電イネーブラは、
前記第１のピンに結合された第１の抵抗器と、
前記第１の抵抗器及び前記第１のコネクタのデータピンに結合された第２の抵抗器と
を更に備えることを特徴とする請求項１に記載のケーブル。
【請求項３】
前記トランジスタは、前記第１の抵抗器及び前記第２の抵抗器に結合されており、前記充電イネーブラは、前記第１のコネクタが前記電源アダプタから電力を受け取る場合に、第１の充電電流を前記装置に供給するよう構成されていることを特徴とする請求項２に記載のケーブル。
【請求項４】
前記トランジスタと並列に接続され、且つ前記第１のコネクタが前記ホスト装置の前記ＵＳＢポートから電力を受け取る場合に、前記第１の充電電流よりも小さい第２の充電電流を前記装置に供給する電流制限器を更に備えることを特徴とする請求項３に記載のケーブル。
【請求項５】
前記第２の抵抗器は、前記トランジスタのゲートと前記第１のコネクタの前記データピンとの間に接続され、前記トランジスタは、前記トランジスタの前記ゲートに少なくとも第１の電圧が印加された場合に閉成するよう構成されていることを特徴とする請求項２に記載のケーブル。
【請求項６】
前記第１のコネクタが前記電源アダプタから電力を受け取ることで、前記第１の電圧が印加されることを特徴とする請求項５に記載のケーブル。
【請求項７】
前記第１のコネクタの接地ピンと前記第１のコネクタの第２のデータピンとの間に結合された第３の抵抗器を更に備えることを特徴とする請求項２に記載のケーブル。
【請求項８】
前記第１の抵抗器は約２，７００Ωの公称値を有しており、前記第２の抵抗器は約４，７００Ωの公称値を有していることを特徴とする請求項２に記載のケーブル。
【請求項９】
前記充電イネーブラは、
前記第１のピンに結合された第１の抵抗器と、
前記第１の抵抗器及び前記第１のコネクタの前記データピンに結合されたツェナーダイオードと
を更に備えることを特徴とする請求項１に記載のケーブル。
【請求項１０】
前記第１のコネクタは、前記ホスト装置の前記ＵＳＢポート又は前記電源アダプタと係合する雄ＵＳＢタイプＡコネクタを備えており、前記第２のコネクタは、前記装置のＵＳＢタイプＢコネクタと係合するように構成されていることを特徴とする請求項１に記載のケーブル。
【請求項１１】
携帯装置に接続される第１のコネクタと、
ホスト装置のユニバーサルシリアルバス（ＵＳＢ）ポート又は電源コンセントに結合された電源アダプタに接続される第２のコネクタであって、該第２のコネクタの第１のピンが、前記ホスト装置の前記ＵＳＢポート又は前記電源アダプタを含む複数の電源のうちのいずれか１つから電力を受け取る第２のコネクタと、
前記第２のコネクタの前記第１のピンに結合された回路網と、を備え、
前記回路網は、
前記第２のコネクタが前記電源アダプタに接続された場合には前記第１のコネクタを介して第１の充電電流を前記携帯装置に供給し、
前記第２のコネクタが前記ホスト装置の前記ＵＳＢポートに接続された場合には、前記第１のコネクタを介して前記第１の充電電流よりも小さい第２の充電電流を前記携帯装置に供給することを特徴とする装置。
【請求項１２】
前記回路網は、
前記第２のコネクタの前記第１のピンに結合された第１の抵抗器と、
前記第１の抵抗器及び前記第２のコネクタの第２のピンに結合された第２の抵抗器又はツェナーダイオードのうち少なくとも一方と
を備えることを特徴とする請求項１１に記載の装置。
【請求項１３】
前記第２の抵抗器又はツェナーダイオードのうち少なくとも一方は、第２の抵抗器を備えることを特徴とする請求項１２に記載の装置。
【請求項１４】
前記第１の抵抗器は約２，７００Ωの値を有しており、前記第２の抵抗器は約４，７００Ωの値を有していることを特徴とする請求項１３に記載の装置。
【請求項１５】
前記回路網は、
前記第１の抵抗器及び前記第２の抵抗器又は前記ツェナーダイオードのうちの少なくとも一方に結合されたスイッチを更に備え、前記スイッチは、前記スイッチに供給される電圧が閾値を超える場合に閉成するよう構成されていることを特徴とする請求項１２に記載の装置。
【請求項１６】
前記スイッチはトランジスタを備え、前記トランジスタは、前記トランジスタのゲートの電圧が前記閾値を超える場合に閉成するよう構成されており、電流は、前記第２のコネクタの前記第１のピンから閉成した前記トランジスタを介して前記携帯装置に供給されることを特徴とする請求項１５に記載の装置。
【請求項１７】
前記第２のコネクタの前記第１のピンは電圧入力ピンに対応しており、前記第２のコネクタの前記第２のピンは第１のデータピンに対応しており、前記装置は、前記第２のコネクタの接地ピンと前記第２のコネクタの第２のデータピンとの間に結合された第３の抵抗器を更に備えることを特徴とする請求項１２に記載の装置。
【請求項１８】
前記第２の抵抗器又はツェナーダイオードのうち少なくとも一方は、約３ボルトの定格を有するツェナーダイオードを備えることを特徴とする請求項１２に記載の装置。
【請求項１９】
前記第１のコネクタは、前記携帯装置のＵＳＢタイプＢコネクタと係合するように構成されており、前記第２のコネクタは、前記ホスト装置の前記ＵＳＢポート又は前記電源アダプタと係合する雄ＵＳＢタイプＡコネクタを備えることを特徴とする請求項１１に記載の装置。
【請求項２０】
前記回路網はプリント回路基板上に含まれていることを特徴とする請求項１１に記載の装置。
【請求項２１】
ユニバーサルシリアルバス（ＵＳＢ）ホスト装置を備える第１の電源と電源コンセントに結合された電源アダプタを備える第２の電源とを含む複数の電源のうちの１つの電源にシステムを接続する手段と、
前記接続する手段が前記ＵＳＢホスト装置に接続された場合に、前記ＵＳＢホスト装置からの第１の電流を供給する手段と、
前記システムが前記電源アダプタに接続された場合に、前記電源アダプタからの前記第１の電流よりも大きい第２の電流を供給する手段と
を備えることを特徴とするシステム。
【請求項２２】
前記接続する手段は、ＵＳＢトランシーバを含まないことを特徴とする請求項２１に記載のシステム。
【請求項２３】
ホスト装置のユニバーサルシリアルバス（ＵＳＢ）ポート又は電源コンセントに結合された電源アダプタに接続されるコネクタであって、該コネクタの第１のピンが、前記ホスト装置の前記ＵＳＢポート又は前記電源アダプタから電力を受け取るコネクタと、
前記コネクタの前記第１のピンに結合された回路網と、を備え、
前記回路網は、
前記コネクタが前記電源アダプタに接続された場合には、第１の充電電流を装置に供給し、
前記コネクタが前記ホスト装置の前記ＵＳＢポートに接続された場合には、前記第１の充電電流よりも小さい第２の充電電流を前記装置に供給するよう構成されていることを特徴とする装置。
【請求項２４】
前記装置は移動端末を含むことを特徴とする請求項２３に記載の装置。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
装置の充電に用いられるケーブルであって、
ホスト装置のユニバーサルシリアルバス（ＵＳＢ）ポート又は電源コンセントに結合された電源アダプタに接続され、複数のピンを備えており、かつ、第１のピンが、前記ホスト装置の前記ＵＳＢポート又は前記電源アダプタを含む複数の電源のうちのいずれか１つから電力を受け取る第１のコネクタと、
前記第１のコネクタに結合され、前記第１のコネクタの前記第１のピンに結合された少なくとも１つのトランジスタを備えており、且つ前記第１のコネクタの前記第１のピンと前記第１のコネクタのデータピンとの間に印加される電圧に基づいて、前記装置への充電を有効化する充電イネーブラと、
前記充電イネーブラに結合され、且つ前記充電イネーブラを介して前記装置に電力を供給するよう構成された第２のコネクタと
を備えることを特徴とするケーブル。
【請求項２】
前記充電イネーブラは、
前記第１のピンに結合された第１の抵抗器と、
前記第１の抵抗器及び前記第１のコネクタのデータピンに結合された第２の抵抗器と
を更に備えることを特徴とする請求項１に記載のケーブル。
【請求項３】
前記トランジスタは、前記第１の抵抗器及び前記第２の抵抗器に結合されており、前記充電イネーブラは、前記第１のコネクタが前記電源アダプタから電力を受け取る場合に、第１の充電電流を前記装置に供給するよう構成されていることを特徴とする請求項２に記載のケーブル。
【請求項４】
前記トランジスタと並列に接続され、且つ前記第１のコネクタが前記ホスト装置の前記ＵＳＢポートから電力を受け取る場合に、前記第１の充電電流よりも小さい第２の充電電流を前記装置に供給する電流制限器を更に備えることを特徴とする請求項３に記載のケーブル。
【請求項５】
前記第２の抵抗器は、前記トランジスタのゲートと前記第１のコネクタの前記データピンとの間に接続され、前記トランジスタは、前記トランジスタの前記ゲートに少なくとも第１の電圧が印加された場合に閉成するよう構成されていることを特徴とする請求項２に記載のケーブル。
【請求項６】
前記第１のコネクタが前記電源アダプタから電力を受け取ることで、前記第１の電圧が印加されることを特徴とする請求項５に記載のケーブル。
【請求項７】
前記第１のコネクタの接地ピンと前記第１のコネクタの第２のデータピンとの間に結合された第３の抵抗器を更に備えることを特徴とする請求項２に記載のケーブル。
【請求項８】
前記第１の抵抗器は約２，７００Ωの公称値を有しており、前記第２の抵抗器は約４，７００Ωの公称値を有していることを特徴とする請求項２に記載のケーブル。
【請求項９】
ユニバーサルシリアルバス（ＵＳＢ）ホスト装置を備える第１の電源と電源コンセントに結合された電源アダプタを備える第２の電源とを含む複数の電源のうちの１つの電源にシステムを接続する手段と、
前記接続する手段が前記ＵＳＢホスト装置に接続された場合に、前記ＵＳＢホスト装置からの第１の電流を供給する手段と、
前記システムが前記電源アダプタに接続された場合に、前記電源アダプタからの前記第１の電流よりも大きい第２の電流を供給する手段と
を備えることを特徴とするシステム。
【請求項１０】
前記接続する手段は、ＵＳＢトランシーバを含まないことを特徴とする請求項９に記載のシステム。
【国際調査報告】
2010522527.tif 000010
2010522527.tif 000011
2010522527.tif 000012